【手続補正書】
【提出日】令和1年6月27日(2019.6.27)
【手続補正１】
【補正対象書類名】特許請求の範囲
【補正対象項目名】全文
【補正方法】変更
【補正の内容】
【特許請求の範囲】
【請求項１】
信号をデコードするための方法であって、前記方法は、
アナログ／デジタルコンバータを用いて時間間隔にわたって信号をサンプリングし、サンプルのセットを生成することと、
第１の周波数および第１の位相における第１の参照関数を表す値のセットで前記サンプルのセットを乗算し、第１の値の第１のセットを生成することと、
前記第１の周波数および前記第１の位相における第２の参照関数を表す値のセットで前記サンプルのセットを乗算し、第２の値の第１のセットを生成することであって、前記第２の参照関数は、前記第１の参照関数と異なる、ことと、
前記第１の値の第１のセットを組み合わせ、第１のスライスの第１の成分を生成することと、
前記第２の値の第１のセットを組み合わせ、前記第１のスライスの第２の成分を生成することと、
第２の周波数および第２の位相における前記第１の参照関数を表す値のセットで前記サンプルのセットを乗算し、第１の値の第２のセットを生成することであって、前記第２の周波数および前記第２の位相は、前記第１の周波数および前記第１の位相と異なり、前記第１の値の第２のセットは、第１の値の第１のセットと異なる、ことと、
前記第２の周波数および前記第２の位相における前記第２の参照関数を表す値のセットで前記サンプルのセットを乗算し、第２の値の第２のセットを生成することと、
前記第１の値の第２のセットを組み合わせ、第２のスライスの第１の成分を生成することと、
前記第２の値の第２のセットを組み合わせ、前記第２のスライスの第２の成分を生成することと、
前記アナログ／デジタルコンバータを用いて新しい時間間隔にわたって前記信号をサンプリングし、サンプルの新しいセットを生成することと、
前記サンプルの新しいセットに対して、乗算することおよび組み合わせることを繰り返し、前記第１のスライスを備える第１のスライスのセットと前記第２のスライスを備える第２のスライスのセットとを生成することと
を含む、方法。
【請求項２】
前記第１のスライスのセットを使用して自己相関値の少なくとも１つのベクトルを決定することと、
前記第２のスライスのセットを使用して自己相関値の少なくとも１つのベクトルを決定することと、
前記自己相関値の少なくとも１つのベクトルのそれぞれの組み合わせられた要素から導出されたメトリックを閾値と比較することと
をさらに含む、請求項１に記載の方法。
【請求項３】
テンプレート値の第１のセットと、前記第１のスライスのセットのスライスインデックスで開始する前記第１のスライスのセットの第１のサブセットとの間の第１の相関値を決定することと、
テンプレート値の第２のセットと、前記第２のスライスのセットのスライスインデックスで開始する前記第２のスライスのセットの第１のサブセットとの間の第２の相関値を決定することと、
前記信号の有効開始位相を変動させる回転角度と、前記信号の有効周波数を変動させるワーピング角度とで前記第１および第２のスライスの各セットを回転させることと
をさらに含む、請求項２に記載の方法。
【請求項４】
前記第１のスライスのセットの後続スライスインデックスで開始する前記第１の相関値を決定することと、
前記第２のスライスのセットの後続スライスインデックスで開始する前記第２の相関値を決定することと、
前記信号の有効開始位相を変動させる回転角度と、前記信号の有効周波数を変動させるワーピング角度とで前記第１および第２のスライスの各セットを回転させることと
を繰り返すことをさらに含む、請求項３に記載の方法。
【請求項５】
前記第１のスライスのセットおよび前記第２のスライスのセットの各スライスインデックスに対して、前記方法は、
各スライスインデックスおよび前記回転角度のそれぞれにおける相関値を比較することと、
各スライスに対する最大相関値を決定することと、
前記最大相関値に対応する、前記スライスインデックスおよび前記回転角度のそれぞれを決定することと
をさらに含む、請求項４に記載の方法。
【請求項６】
最適回転角度を決定することと、
最適ワーピング角度を決定することと、
前記最適回転角度および前記最適ワーピング角度で各スライスを回転させることと
をさらに含む、請求項５に記載の方法。
【請求項７】
最適開始スライスを決定することと、
前記最適開始スライスで開始し、ビット長の数の第１の参照関数値を組み合わせて、ビットに対応する組み合わせられた第１の参照関数値を生成し、ビット長の数の第２の参照関数値を組み合わせて、前記ビットに対応する組み合わせられた第２の参照関数値を生成することと、
総和の符号を使用してパケットの第１のビットを決定することと、
前記組み合わせられた第１の参照関数値の大きさを最大にし、前記組み合わせられた第２の参照関数値の大きさを最小にする、回転角度で後続ビット長のスライスを回転させることと、
前記組み合わせられた第１の参照関数値の符号を使用して後続ビットを決定することと
をさらに含む、請求項６に記載の方法。
【請求項８】
前記第１の参照関数は、正弦波、鋸歯波、三角形波、または正方形波関数、もしくはそれらの組み合わせのうちのいずれかである、請求項１に記載の方法。
【請求項９】
前記第２の参照関数は、余弦波、鋸歯波、三角形波、または正方形波関数、もしくはそれらの組み合わせのうちのいずれかである、請求項１に記載の方法。
【請求項１０】
前記時間間隔は、最小周波数におけるパケットの長さより長い、請求項１に記載の方法。
【請求項１１】
前記時間間隔は、最小周波数における２つのパケットの長さより長い、請求項１に記載の方法。
【請求項１２】
信号受信機であって、前記信号受信機は、
時間間隔にわたって信号をサンプリングし、サンプルのセットを生成するように構成されている、アナログ／デジタルコンバータ（ＡＤＣ）と、
メモリと、
前記メモリと結合されたコントローラと
を備え、
前記コントローラは、
第１の周波数および第１の位相における第１の参照関数を表す値のセットで前記サンプルのセットを乗算し、第１の値の第１のセットを生成することと、
前記第１の周波数および前記第１の位相における第２の参照関数を表す値のセットで前記サンプルのセットを乗算し、第２の値の第１のセットを生成することであって、前記第２の参照関数は、前記第１の参照関数と異なる、ことと、
前記第１の値の第１のセットを組み合わせ、第１のスライスの第１の成分を生成することと、
前記第２の値の第１のセットを組み合わせ、前記第１のスライスの第２の成分を生成することと、
第２の周波数および第２の位相における前記第１の参照関数を表す値のセットで前記サンプルのセットを乗算し、第１の値の第２のセットを生成することと、
前記第２の周波数および前記第２の位相における前記第２の参照関数を表す値のセットで前記サンプルのセットを乗算し、第２の値の第２のセットを生成することであって、前記第２の周波数および前記第２の位相は、前記第１の周波数および前記第１の位相と異なり、前記第１の値の第２のセットは、第１の値の第１のセットと異なる、ことと、
前記第１の値の第２のセットを組み合わせ、第２のスライスの第１の成分を生成することと、
前記第２の値の第２のセットを組み合わせ、前記第２のスライスの第２の成分を生成することと、
前記アナログ／デジタルコンバータを用いて新しい時間間隔にわたって前記信号をサンプリングし、サンプルの新しいセットを生成することと、
前記サンプルの新しいセットに対して、乗算することおよび組み合わせることを継続し、前記第１のスライスを備える第１のスライスのセットと前記第２のスライスを備える第２のスライスのセットとを生成することと
を行うように構成されている、信号受信機。
【請求項１３】
前記コントローラは、
前記第１のスライスのセットを使用して自己相関値の少なくとも１つのベクトルを決定することと、
前記第２のスライスのセットを使用して自己相関値の少なくとも１つのベクトルを決定することと、
前記自己相関値の少なくとも１つのベクトルのそれぞれの組み合わせられた要素から導出されたメトリックを閾値と比較することと
を行うようにさらに構成されている、請求項１２に記載の信号受信機。
【請求項１４】
前記コントローラは、
テンプレート値の第１のセットと、前記第１のスライスのセットのスライスインデックスで開始する前記第１のスライスのセットの第１のサブセットとの間の第１の相関値を決定することと、
テンプレート値の第２のセットと、前記第２のスライスのセットのスライスインデックスで開始する前記第２のスライスのセットの第１のサブセットとの間の第２の相関値を決定することと、
前記信号の有効開始位相を変動させる回転角度と、前記信号の有効周波数を変動させるワーピング角度とで前記第１および第２のスライスの各セットを回転させることと
を行うようにさらに構成されている、請求項１３に記載の信号受信機。
【請求項１５】
前記コントローラは、
前記第１のスライスのセットの後続スライスインデックスで開始する前記第１の相関値を決定することと、
前記第２のスライスのセットの後続スライスインデックスで開始する前記第２の相関値を決定することと、
前記信号の有効開始位相を変動させる回転角度と、前記信号の有効周波数を変動させるワーピング角度とで前記第１および第２のスライスの各セットを回転させることと
を行い続けるようにさらに構成されている、請求項１４に記載の信号受信機。
【請求項１６】
前記第１のスライスのセットおよび前記第２のスライスのセットの各スライスインデックスに対して、前記コントローラは、
各スライスインデックスおよび前記回転角度のそれぞれにおける相関値を比較することと、
各スライスに対する最大相関値を決定することと、
前記最大相関値に対応する、前記スライスインデックスおよび前記回転角度のそれぞれを決定することと
を行うようにさらに構成されている、請求項１５に記載の信号受信機。
【請求項１７】
前記コントローラは、
最適回転角度を決定することと、
最適ワーピング角度を決定することと、
前記最適回転角度および前記最適ワーピング角度で各スライスを回転させることと
を行うようにさらに構成されている、請求項１６に記載の信号受信機。
【請求項１８】
前記コントローラは、
最適開始スライスを決定することと、
前記最適開始スライスで開始し、ビット長の数の第１の参照関数値を組み合わせて、ビットに対応する組み合わせられた第１の参照関数値を生成し、ビット長の数の第２の参照関数値を組み合わせて、前記ビットに対応する組み合わせられた第２の参照関数値を生成することと、
総和の符号を使用してパケットの第１のビットを決定することと、
前記組み合わせられた第１の参照関数値の大きさを最大にし、前記組み合わせられた第２の参照関数値の大きさを最小にする、回転角度で後続ビット長のスライスを回転させることと、
前記組み合わせられた第１の参照関数値の符号を使用して後続ビットを決定することと
を行うようにさらに構成されている、請求項１７に記載の信号受信機。
【請求項１９】
前記第１の参照関数は、正弦波、鋸歯波、三角形波、または正方形波関数、もしくはそれらの組み合わせのうちのいずれかである、請求項１２に記載の信号受信機。
【請求項２０】
前記第２の参照関数は、余弦波、鋸歯波、三角形波、または正方形波関数、もしくはそれらの組み合わせのうちのいずれかである、請求項１２に記載の信号受信機。
【請求項２１】
前記時間間隔は、最小周波数におけるパケットの長さより長い、請求項１２に記載の信号受信機。
【請求項２２】
前記時間間隔は、最小周波数における２つのパケットの長さより長い、請求項１２に記載の信号受信機。